【手続補正書】
【提出日】平成19年8月7日(2007.8.7)
【手続補正１】
【補正対象書類名】明細書
【補正対象項目名】特許請求の範囲
【補正方法】変更
【補正の内容】
【特許請求の範囲】    【請求項１】  壁面板の後面側に給水管、排水管等の所定の配管設備を有し、壁面板の前面側から所定の取付構造体を介して小便器を設置してなる小便器ユニットであって、前記小便器と取付構造体には、夫々相対応する部位に一対の凹凸関係で構成される装着用の係合手段が設けられると共に、前記小便器には、その背面側下部に排水口が斜め下方に向けて設けられる一方、前記取付構造体には、前記配水管への排水口受部を、前記小便器を前記係合手段で係合せしめた傾斜姿勢から起立姿勢に姿勢変姿することで、前記排水口が傾斜状に対面嵌装されるよう斜め上方に向けて設けてあることを特徴とする小便器ユニット。    【請求項２】  請求項１において、前記排水口と排水口受部とは、排水口または排水口受部の周面に予め水密手段を設けることで、前記対面嵌装に追随して排水口と排水口受部との水密接合が完了すべく構成してあることを特徴とする小便器ユニット。    【請求項３】  請求項１または２において、前記係合手段は、前記排水口と排水口受部よりも下部側に設けられていることを特徴とする小便器ユニット。    【請求項４】  請求項１乃至３の何れかにおいて、前記係合手段は、前記小便器を取付構造体で支持するに、小便器の傾斜姿勢では線状に係合し、起立姿勢では面状に係合して支持すべく構成されていることを特徴とする小便器ユニット。    【請求項５】  請求項１乃至４の何れかにおいて、前記取付構造体を、壁面板と上面板、およびこれらを取付する複数の縦フレームと上フレームによって断面逆Ｌ字状に形成させて前記配管設備を収納する配管ケースに構成すると共に、前記縦フレーム間に横フレームを架設し、該横フレームに、前記排水口受部が挿入される受部装着孔と該受部装着孔を挟んで前記係合手段の一方を構成する２つの支持片とを設け、横フレームを、斜め上方に向けて前記支持片よりも後方に設けてあることを特徴とする小便器ユニット。    【請求項６】  壁面板の後面側に給水管、排水管等の所定の配管設備を有し、壁面板の前面側から所定の取付構造体を介して小便器を設置してなる小便器ユニットであって、前記小便器の背面側下部には排水口と前記取付構造体に対する支持脚部が設けられていると共に、前記取付構造体を、壁面板と上面板、およびこれらを取付する複数の縦フレームと上フレームとによって前記配管設備を収納する配管ケースに構成し、前記縦フレーム間の前記排水口の対向部位に横フレームを架設せしめ、該横フレームに、前記配水管への排水口受部が挿入される受部装着孔と、前記支持脚部を介して小便器を装着支持する支持片とを設けたことを特徴とする小便器ユニット。    【請求項７】    請求項６において、前記排水口を斜め下方に向けて設ける一方、前記受部装着孔を、挿着された前記排水口受部が斜め上方に向くように設けて、前記排水口受部と前記排水口とを、前記支持脚部を前記支持片に係合せしめた傾斜姿勢から起立姿勢に姿勢変姿することで嵌装すべく構成したことを特徴とする小便器ユニット。    【請求項８】  請求項６または７において、前記支持脚部を前記支持片で支持するに、小便器の傾斜姿勢では線状に係合し、起立姿勢では面状に係合して支持すべく構成されていることを特徴とする小便器���ニット。    【請求項９】  請求項６乃至８の何れかにおいて、前記支持脚部と前記支持片とは、前記受部装着孔の両側域で支持されていることを特徴とする小便器ユニット。    【請求項１０】  請求項１乃至９の何れかにおいて、前記排水口受部は、前記排水管に直接的に取り付けられるゴム質材にて形成されたジョイント管に設けられいることを特徴とする小便器ユニット。    【請求項１１】  並設された複数の小便器の背面側に所定の下り勾配をもって床面上に設置され、それぞれの小便器の排水口と対応する位置でジョイント管を介して排水可能に連結される排水管であって、該排水管を、楕円形または卵形等の縦長形状に形成してその広幅面域が前記排水口側を向くよう立設せしめ、前記ジョイント管の先端側に前記排水口の排水受部を設けると共に、該ジョイント管を、前記水平に並ぶ各排水口と前記配水管勾配との離間変位に対応すべく揺動可能に構成し、前記配水管の上側周面に対して斜め上方に向けて設けたことを特徴とする小便器の配水管構造。    【請求項１２】  請求項１１において、前記ジョイント管は、ゴム質材にて形成されていることを特徴とする小便器の配水管構造。【手続補正２】
【補正対象書類名】明細書
【補正対象項目名】０００７
【補正方法】変更
【補正の内容】
【０００７】    【発明が解決しようとする課題】  本発明は、上記の如き問題点を一掃すべく創案されたものであって、小便器、排水管、配管ケースにつき、部品点数の削減や、取付け構造の改良が図られて、これら各部材間におけるセット作業の簡素化や作業効率の向上を行い得て、ユニット全体の施工の簡略化を図ることができる小便器ユニットを提供することを主たる課題とし、具体的には、  姿勢変姿による施工手段を採用したものでありながら、埋め込みタイプの小便器のように排水口と排水口受部とが配管ケースなどの内部に配設されたものであっても、壁掛けタイプの小便器の様に、排水口と排水口受部との対面位置を、可及的に近接せしめた状態で外部より確認しながら位置合わせ調整が行えるようになり、作業効率の向上を図ることができるばかりか、例え姿勢変姿に伴って支点部が前後方向或いは上下方向に位置ズレを生じたとしても、何れの方向の位置ズレによっても嵌合方向に対するものとして作用させることができ、嵌合状態の適正化が図られて、埋め込み式か否かの小便器のタイプや、壁掛け式か載置式かの支持形式に影響されることがなくなり、小便器のセット作業が大幅に簡素化されて、ユニット全体の施工の簡略化を図ることができる小便器ユニットを提供することを課題としている。  また、小便器支持片と受部装着孔とが一体となった配管ボックスを提供でき、横フレームへのジョイント管の排水口受部がセットし易く、かつセットされた排水口受部が外部から臨めるようになり、しかも、小便器支持片の存在により、特に、埋め込み式小便器を姿勢変姿して施工する際に、小便器とのセット位置合わせがより効率的に行われ、配管ボックス内での配管作業と小便器のセット作業が大幅に簡素化されて、ユニット全体の施工の簡略化を図ることができる小便器ユニットを提供することを課題としている。  また、埋め込み式小便器ユニットの配管構造でありながら、大便器ユニットの配水管構造と同様の施工方式が採用できるようになり、排水フランジを設ける必要がなく、部品点数の削減が図られると共に、壁掛け式小便器ユニットのように配水管を小便器側に近接して配置できるようになり、配管ボックス全体の奥行きスペースを薄く構成することができ、しかも、排水量の少ない小便器であっても、小便器からの排水を管詰まりすることなく適正に配水管へ流すことができ、小便器のセット作業が大幅に簡素化されて、ユニット全体の施工の簡略化を図ることができる小便器の配水管構造を提供することを課題としている。【手続補正３】
【補正対象書類名】明細書
【補正対象項目名】００２１
【補正方法】変更
【補正の内容】
【００２１】    【発明の効果】  本発明は、壁面板２０１の後面側に給水管３、排水管４等の所定の配管設備を有し、壁面板２０１の前面側から所定の取付構造体２を介して装着される小便器１を設置してなる小便器ユニットであって、前記小便器１と取付構造体２には、夫々相対応する部位に一対の凹凸関係で構成される装着用の係合手段が設けられると共に、前記小便器１には、その背面側下部に排水口１０３が斜め下方に向けて設けられる一方、前記取付構造体２には、前記配水管４への排水口受部４０２を、前記小便器１を前記係合手段で係合せしめた傾斜姿勢から起立姿勢に姿勢変姿することで、前記排水口１０３が傾斜状に対面嵌装されるよう斜め上方に向けて設けてあることことにより、姿勢変姿による施工手段を採用したものでありながら、埋め込みタイプの小便器１のように排水口１０３と排水口受部４０２とが配管ケース２などの内部に配設されたものであっても、壁掛けタイプの小便器の様に、排水口１０３と排水口受部４０２との対面位置を、可及的に近接せしめた状態で外部より確認しながら位置合わせ調整が行えるようになり、作業効率の向上を図ることができるばかりか、例え姿勢変姿に伴って支点部が前後方向或いは上下方向に位置ズレを生じたとしても、何れの方向の位置ズレによっても嵌合方向に対するものとして作用させることができ、嵌合状態の適正化が図られて、埋め込み式か否かの小便器のタイプや、壁掛け式か載置式かの支持形式に影響されることがなくなり、小便器のセット作業が大幅に簡素化されて、ユニット全体の施工の簡略化を図ることができる。【手続補正４】
【補正対象書類名】明細書
【補正対象項目名】００２３
【補正方法】変更
【補正の内容】
【００２３】  また、本発明は、並設された複数の小便器１、１・・・の背面側に所定の下り勾配をもって床面上に設置され、それぞれの小便器１の排水口１０３と対応する位置でジョイント管４０１を介して排水可能に連結される排水管４であって、該排水管４を、楕円形または卵形等の縦長形状に形成してその広幅面域が前記排水口１０３側を向くよう立設せしめ、前記ジョイント管４０１の先端側に前記排水口１０３の排水受部４０２を設けると共に、該ジョイント管４０１を、前記水平に並ぶ各排水口１０３と前記配水管勾配との離間変位に対応すべく揺動可能に構成し、前記配水管４の上側周面に対して斜め上方に向けて設けたことにより、ジョイント管４０１は、その先端側の排水受部４０２が受部装着孔２１３ａと対面させて、前記水平に並ぶ各排水口１０３（受部装着孔２１３ａ）と配水管４の配水管勾配との離間変位に対応すべく揺動可能に構成されており、かつ前記配水管４の上側周面に対して斜め上方に向けて設けられているため、埋め込み式小便器ユニットの配管構造でありながら、大便器ユニットの配水管構造と同様の施工方式が採用できるようになり、したかって、従来使用されていた排水フランジが一切不要となり、部品点数の削減が図られると共に、壁掛け式小便器ユニットのように配水管４を小便器側に近接して配置できるようになり、配管ボックス２全体の奥行きスペースを薄く構成することができ、しかも、排水量の少ない小便器１であっても、小便器１からの排水を管詰まりすることなく適正に配水管４へ流すことができ、小便器のセット作業が大幅に簡素化されて、ユニット全体の施工の簡略化を図ることができる。